(57)【要約】【課題】カセットホルダ内でのカセットが上下に傾く量を抑えると共に、カセットホルダのオーバーストローク量を増やすことである。【解決手段】一対の第１のレバー４の一端を連結して配されている結合部材６と、結合部材６に形成されカセット５０が第１の位置にある時にカセット５０の上方向への移動を規制するストッパ９とを備え、ストッパ９は、カセット５０が第１の位置にある時は、カセットケース５１の上面に近接するとともにカセット蓋５２ａに近い位置にあり、カセット５０が第１の位置から第２の位置へ移動される時に、第１のレバー４の回動動作に伴って、カセット蓋５１から遠ざかる方向へ移動されるものである。【選択図】図１
2008112539.tif 000002
【特許請求の範囲】
【請求項１】
テープ状媒体が内蔵され、前記テープ状媒体をケース外へ引き出しまたはケース内へ収納するための開口部を備えたカセットケースと、
前記カセットケースに回動自在に軸支され、前記カセットケースの開口部を覆う第１の状態と、前記開口部を開放し前記カセットケースの上方に位置する第２の状態とに移行可能なカセット蓋と、を備えたカセットを、
当該装置に着脱可能な第１の位置と、前記テープ状媒体を前記カセットから引き出しまたは収納可能な第２の位置とに移送可能なカセット装着装置であって、
基盤と、
前記カセットを保持するカセットホルダーと、
前記カセットホルダーの側壁にそれぞれ配され、一端が前記基盤に軸支され他端が前記カセットホルダーに軸支されている一対の第１のレバーと、
前記カセットホルダーの側壁にそれぞれ配され、一端が前記基盤に軸支され他端が前記カセットホルダーに軸支され、長手方向中間部において前記第１のレバーに軸支されている一対の第２のレバーと、
一対の前記第１のレバーの一端を連結して配されている結合部材と、
前記結合部材に形成され、前記カセットが第１の位置にある時に前記カセットの上方向への移動を規制するストッパとを備え、
前記ストッパは、
前記カセットが第１の位置にある時は、前記カセットケースの上面に近接するとともに前記カセット蓋に近い位置にあり、
前記カセットが第１の位置から第２の位置へ移動される時に、前記第１のレバーの回動動作に伴って、前記カセット蓋から遠ざかる方向へ移動されることを特徴とするカセット装着装置。
【請求項２】
前記ストッパは、前記カセットが第２の位置にある時、前記カセットの前記基盤への装着の妨げにならない位置に移動されている請求項１記載のカセット装着装置。
【請求項３】
前記ストッパ、前記結合部材及び前記第１のアームは、一体形成される請求項１記載のカセット装着装置。
【発明の詳細な説明】
【技術分野】
【０００１】
本発明は、ビデオテープレコーダーなどの磁気記録再生装置にカセットを装着することができるカセット装着装置に関する。
【背景技術】
【０００２】
以下に従来の磁気記録再生装置のカセット装着装置の構成について説明する。
【０００３】
図９は、従来の磁気記録再生装置においてカセット着脱可能な状態を示す右側面図である。図１０は、カセットが基盤に装着された状態を示す右側面図である。
【０００４】
図９において、カセット１５０は、磁気テープなどのテープ状記録媒体が内蔵されたカセットケース１５１と、カセットケース１５１の前面を覆う閉塞位置と前面を開放する開放位置とに移動可能なカセット蓋１５２ａ及び１５２ｂとを備えている。カセット蓋１５２ａ及び１５２ｂは、カセットケース１５１の両側に設けられた回動支軸周りに回動し、記録媒体をカセットケース１５１から引き出す時にカセットケース１５１の上面方向に移動される。ここで、カセット１５０は、カセットケース１５１とカセット蓋１５２ａ及び１５２ｂとにより、略直方体のケースを成している。このようなケースにおいて、カセット蓋１５２ｂが配されている面を前面、前面に対向し一般的に背ラベルを貼着可能な面を背面、前面及び背面に略直交隣接しケース内部を目視可能な窓部を有する面を上面、上面に対向するとともにテープが巻回されているリールが外部露出している面を底面、前面と背面と上面と底面とに略直交隣接し互いに対向した面を側面と定義する。
【０００５】
基盤１０２は、板金などで構成され、カセットホルダ１０３、第１アーム１０４、第２アーム１０５などが保持されている。また、基盤１０２は、互いに対向した一対の側壁を備え、その側壁にカセットホルダー１０３などが支持されている。
【０００６】
カセットホルダー１０３は、基盤１０２に対して昇降自在に配され、内部にカセット１５０を保持することができる。なお、カセットホルダ１０３は、カセット１５０の挿入方向（矢印Ａ方向）に対して直交する方向の両端（すなわち、カセット１５０の側面に対向する端部）において、基盤１０２に支持されている。
【０００７】
第１アーム１０４と第２アーム１０５は、カセットホルダ１０３の両側に配され、支軸１２３で互いに回動に支持されている。第１アーム１０４と第２アーム１０５は、カセットホルダ１０３の両端にそれぞれ配され、二組のリンク機構で構成されている。第１アーム１０４の一端は、支軸１２１によってカセットホルダ１０３に回動自在に支持されていると共に、左右の第１アーム１０４が互いにカセットホルダ１０３を挟んで結合され、互いに同期して動作せしめる結合部材１０６とを備えている。第１アーム１０４の他端は、支軸１２５によって基盤１０２に摺動自在に支持されている。第２アーム１０５の一端は、支軸１２２によってカセットホルダ１０３に摺動自在に支持されている。第２アーム１０５の他端は、支軸１２４によって回動自在に基盤２に支持されている。なお、カセットホルダ１０３と第１アーム１０４と第２アーム１０５とで、昇降装置を構成している。
【０００８】
ロックレバー１０７は、カセットホルダ１０３に回動自在に軸支されると共に、第２アーム１０５との間でスプリング（図示せず）によって連結されている。よって、ロックレバー１０７は矢印Ｄ方向に付勢され、第２アーム１０５は矢印Ｅ方向に付勢されている。これにより昇降装置は、矢印Ｂ方向に付勢されている。
【０００９】
ストッパ１０９は、カセットホルダー１０３に固定して配され、カセットホルダ１０３にカセット１５０が装着された時に、カセット１５０の上部に位置するように配されている。また、ストッパ１０９は、図１２に示すように長手方向両端に下方向へ突出した突出部１０６ａを設け、突出部１０６ａがカセット１５０の上面に当接されることで、カセット１５０が上方向へ浮き上がるのを防いでいる。また、ストッパ１０９は、カセットホルダ１０３に装着されているカセット１５０の上面と、僅かな隙間を有して配されている。なお、図１２は、図９における矢印Ｚ方向から見た正面図を模式的に示したものである。
【００１０】
また、カセットホルダ１０３には、矢印Ａ方向に挿入されたカセット１５０の挿入方向の位置を規制するためのストッパ１１０が設けられている。カセット１５０がカセットホルダ１０３に装着されると、ストッパ１１０がカセット１５０に設けられたカセット蓋１５２ａのロックを解除する解除部材（特許文献１に開示）と当接し、カセット蓋１５２ａのロックが解除され、カセット蓋１５２ａが開閉可能な状態になる。
【００１１】
図１２において、リール台１３１は、基盤１０２の底面に２個配され、別途設けられた駆動源によって回転駆動される。また、リール台１３１は、カセット１５０が図１０に示す位置へ下降した時に、カセット１５０に内蔵されたリールに嵌合し、リールを回転駆動させることができる。
【００１２】
以下、動作について説明する。
【００１３】
まず、図９に示す状態は、使用者がカセットホルダー１０３にカセット１５０を着脱可能な状態であり、図示ではカセット１５０を仮装線で示している。カセットホルダー１０３にカセット１５０を装着させる際は、矢印Ａ方向からカセットホルダー３の開口部へカセット１５０を挿入する。
【００１４】
次に、図９に示す状態において、昇降装置が使用者によって矢印Ｃ方向に押圧されると、第２アーム１０５が支軸１２４の軸周りに矢印Ｃ方向へ回動され、それに伴い、第１アーム１０４が支軸１２３を中心に反時計回りに回動されて、カセットホルダー１０３が矢印Ｃ方向へ移動する。この時、第２アーム１０５の他端に形成されているガイド溝１１２に、支軸１２２が摺動自在に係合されており、第２アーム１０５の回動に伴って支軸１２２がガイド溝１１２内を移動する。また、第１アーム１０４の他端に配されている支軸１２５が、基盤１０２に形成されているガイド溝１１３に摺動自在に係合されており、第１アーム１０４の回動に伴って支軸１２５がガイド溝１１３内を移動する。
【００１５】
次に、図１０に示すように、カセットホルダー１０３が下降位置まで移動されると、ロックレバー１０７が基盤１０２に設けられたロック部材１１１に係合されることにより、カセット１５０が基盤１０２に装着される。この時、基盤１０２に配されているリール台１３１（図１２参照）が、カセット１５０に内蔵されているリールに嵌合される。
【００１６】
次に、図１０に示す状態において、ローディングポストなどで構成されるローディング機構（不図示）によって、カセット１５０内からテープが引き出され、磁気ヘッド（不図示）などによってテープに信号の記録または再生を行うことができる。
【００１７】
図１０に示す状態からカセット１５０を取り出す際は、使用者が操作部を操作してイジェクト操作を行うと、ロックレバー１０７とロック部材１１１との係合が解除され、昇降装置はバネなどの弾性部材（不図示）によって矢印Ｂ方向へ上昇される。
【００１８】
図９に示す位置まで上昇されると、使用者はカセット１５０をカセットホルダー１０３から取り出すことができる。
【特許文献１】特開平７−１２２０３０号公報
【発明の開示】
【発明が解決しようとする課題】
【００１９】
しかしながら上記従来の構成では、ストッパ１０９がカセットホルダー１０３に固定して設けられている構成であるため、カセット蓋１５２ａ及び１５２ｂが開く際に、カセット１５０の上部へ移動されるカセット蓋１５２ａの移動を妨げないように、ストッパ１０９をカセット１５０の上部の中央付近に配置させなければならなかった。
【００２０】
すなわち、図１３Ａに示すように、カセット蓋１５２ａ及び１５２ｂが閉じた状態から、支軸１５３を中心に矢印Ｆ方向へ回動されると、図１３Ｂに示すようにカセット蓋１５２ａがカセット１５０の上部へ移動される。このようなカセット蓋１５２ａの動きを妨げないように、ストッパ１０９は、図示のようにカセット１５０の上部の移動方向略中央に配置させる必要がある。なお、図１３Ａは、カセット１５０とストッパ９との位置関係を示す模式図である。また、図示のようなカセット蓋１５２ａ及び１５２ｂの構成は、特許文献１に開示されている。
【００２１】
このような位置にストッパ１０９を配置させると、カセット１５０に浮き上がる力が加わった際に、図１４Ａに示すように、カセットホルダ１０３の点Ｍとストッパ９の点Ｎとで位置決めされるカセット１０３の傾きθＰが大きくなる。このような構成では、昇降装置が下降位置へ移動した際に、カセット１５０が正規の位置へ配置されず、カセット１５０からテープを引き出せないなどの問題が生じる。
【００２２】
したがって、図１４Ｂに示すように、ストッパ１０９をカセット１５０の上部の端部（図１４Ｂの構成はカセット蓋１５２ａに近い位置）に配置させることで、カセット１５０の傾斜角度θＱを抑えることができる。しかしながら、前述したように、図１４Ｂに示すような配置では、カセット蓋１５２ａとストッパ１０９とが接触してしまうという問題がある。
【００２３】
また、ストッパ１０９を、図１１または図１３Ａに示すような位置に配置させると、カセット１５０をカセットホルダ１０３に挿入する際に、人力等により衝撃が加えられることで、カセット１５０がカセットホルダ１０３に設けられた解除部材１１０を乗り越えてしまう可能性がある。そのままカセット１５０を基盤１０２に装着しようとしても、カセット蓋１５２ａ及び１５２ｂが閉じた状態であるため、カセット蓋１５２ａ及び１５２ｂが他の部品と当接して、カセット１５０や装置を破損してしまう可能性があるという課題を有していた。
【００２４】
また、カセットを基盤に装着する際、カセットホルダ１０３がカセット１５０の底面を上方へ押し上げないような位置までカセットホルダ１０３を押し下げると共に、ロックレバー１０７を基盤１０２と係合する位置まで押し下げるために、カセットホルダ１０３のオーバーストローク量を必要とするが、カセット１５０のオーバーストローク量はカセット１５０の規格で決まる高さとカセット１５０の浮きを阻止するストッパ１０９の高さとから決まるため、ストッパ１０９が固定して設けられているために、ストッパ１０９の高さを増やすとカセットホルダ１０３のオーバーストローク量が少なくなり、カセット１５０を基盤１０２に装着できなくなる場合があるという課題を有していた。
【００２５】
本発明は、上記問題に鑑み、カセットホルダ内でのカセットが上下に傾く量を抑えて、カセット蓋を確実に開かせることができると共に、カセットホルダのオーバーストローク量を増やし、カセットを基盤に確実に装着することができるカセット装着装置を提供することを目的とする。
【課題を解決するための手段】
【００２６】
上記目的を達成するために本発明のカセット装着装置は、テープ状媒体が内蔵され、前記テープ状媒体をケース外へ引き出しまたはケース内へ収納するための開口部を備えたカセットケースと、前記カセットケースに回動自在に軸支され、前記カセットケースの開口部を覆う第１の状態と、前記開口部を開放し前記カセットケースの上方に位置する第２の状態とに移行可能なカセット蓋と、を備えたカセットを、当該装置に着脱可能な第１の位置と、前記テープ状媒体を前記カセットから引き出しまたは収納可能な第２の位置とに移送可能なカセット装着装置であって、基盤と、前記カセットを保持するカセットホルダーと、前記カセットホルダーの側壁にそれぞれ配され、一端が前記基盤に軸支され他端が前記カセットホルダーに軸支されている一対の第１のレバーと、前記カセットホルダーの側壁にそれぞれ配され、一端が前記基盤に軸支され他端が前記カセットホルダーに軸支され、長手方向中間部において前記第１のレバーに軸支されている一対の第２のレバーと、一対の前記第１のレバーの一端を連結して配されている結合部材と、前記結合部材に形成され前記カセットが第１の位置にある時に前記カセットの上方向への移動を規制するストッパとを備え、前記ストッパは、前記カセットが第１の位置にある時は、前記カセットケースの上面に近接するとともに前記カセット蓋に近い位置にあり、前記カセットが第１の位置から第２の位置へ移動される時に、前記第１のレバーの回動動作に伴って、前記カセット蓋から遠ざかる方向へ移動されるものである。
【発明の効果】
【００２７】
本発明のカセット装着装置によれば、カセットホルダ内でのカセットが上下に傾く量を抑えることができ、カセット装着時にカセット蓋を確実に開くことができる。
【００２８】
また、カセットホルダのオーバーストローク量を増やすことができ、カセットを基盤に確実に装着することができる。
【発明を実施するための最良の形態】
【００２９】
本発明のカセット装着装置は、前記ストッパは、前記カセットが第２の位置にある時、前記カセットの前記基盤への装着の妨げにならない位置に移動されていることが好ましい。これにより、カセットの浮きを阻止するストッパをよりカセットのカセット蓋に近い位置に配置することが可能となり、カセットホルダ内でのカセットが上下に傾く量を抑えることができると共に、第２の状態においてカセットホルダのオーバーストローク量を増やすことができる。
【００３０】
また、前記ストッパと前記第１のアームとは、一体形成されることが好ましい。これにより、部品点数を削減し、コストダウンを図ることができる。
【００３１】
（実施の形態１）
図１は、実施の形態１における磁気記録再生装置において、カセット着脱可能な状態での右側面図である。図２は、昇降装置が動作途中状態での右側面図である。図３は、カセットが基盤に装着された状態での右側面図である。図４は、カセットホルダ内でカセットが傾いた状態での右側面図であり、便宜上、説明に不要な構成については図示を省略した。
【００３２】
図１において、カセット５０は、磁気テープなどのテープ状記録媒体が内蔵されたカセットケース５１と、カセットケース５１の前面を覆う閉塞位置と前面を開放する開放位置とに移動可能なカセット蓋５２ａ及び５２ｂとを備えている。カセット蓋５２ａ及び５２ｂは、カセットケース５１の両側に設けられた回動支軸周りに回動し、記録媒体をカセットケース５１から引き出す時にカセットケース５１の上面方向に移動される。なお、具体的な構成については、特許文献１に開示されている。
【００３３】
ここで、カセット５０は、カセットケース５１とカセット蓋５２ａ及び５２ｂとにより略直方体のケースを成している。このようなケースにおいて、カセット蓋５２ｂが配されている面を「前面」、前面に対向し一般的に背ラベルを貼着可能な面を「背面」、前面及び背面に略直交隣接しケース内部を目視可能な窓部を有する面を「上面」、上面に対向するとともにテープが巻回されているリールが外部露出している面を「底面」、前面と背面と上面と底面とに略直交隣接し互いに対向した面を「側面」と定義する。
【００３４】
基盤２は、板金などで構成され、カセットホルダ３、第１アーム４、第２アーム５などが保持されている。また、基盤２は、互いに対向した一対の側壁を備え、その側壁にカセットホルダー３などが支持されている。
【００３５】
第１アーム４と第２アーム５は、カセットホルダ３の両側に存在し、支軸２３によって互いに回動自在に結合され、一対のリンク機構を構成している。第１アーム４の一端は、支軸２１にてカセットホルダ３に回動自在に軸支されていると共に、左右の第１アーム４が互いにカセットホルダ３を挟んで結合され、同期して動作せしめる結合部材６を備えている。また、第１アーム４の他端は、支軸２５にて基盤２に摺動自在に支持されている。第２アーム５の一端は、支軸２２にてカセットホルダ３に摺動自在に支持されている。第２アーム５の他端は、支軸２４にて回動自在に基盤２に軸支されている。なお、カセットホルダ３と第１アーム４と第２アーム５とで、昇降装置を構成している。
【００３６】
結合部材６は、図８に示すように、一対の第１アーム４の上端を結合するように配されているため、第１アーム４の回動動作に伴って、矢印Ａ及びＧ方向へ位置が変わる。なお、図８は図１における矢印Ｚ方向から見た正面図を模式的に示したものである。また、結合部材６には、カセットホルダ３に装着されたカセット５０の浮きを阻止するストッパ９が、カセット５０の上面に対向する位置に配されている。なお、ストッパ９の形状は、図８などに示す形状に限らず、結合部材６の長手方向に複数に分割して設けてもよい。また、ストッパ９は、結合部材６に対して別部材で構成し、結合部材６に固定する構成でもよいが、本実施の形態では結合部材６とストッパ９とを一体構成している。本実施の形態では、結合部材６は板金で構成され、板金の一部を下方へ折り曲げてストッパ９を形成していることにより、部品点数を削減している。また、本実施の形態では、結合部材６は板金で構成しているが、樹脂など他の材料で構成してもよい。
【００３７】
ストッパ９は、結合部材６の下面から下方向へ突出した部位であり、所定の隙間を介して、カセット５０の上面に対向する位置に配されている。
【００３８】
ロックレバー７は、カセットホルダ３に回動自在に軸支されていると共に、第２アーム５との間でスプリング８によって連結されている。スプリング８によって、ロックレバー７は矢印Ｄ方向に付勢され、第２アーム５は矢印Ｅ方向に付勢されている。これにより、昇降装置は、矢印Ｂ方向に付勢されている。
【００３９】
カセットホルダ３には、矢印Ａ方向に挿入されたカセット５０の挿入方向の位置を規制するためのストッパ１０が設けられている。
【００４０】
図８において、リール台３１は、基盤２の底面に２個配され、別途設けられた駆動源によって回転駆動される。また、リール台３１は、カセット５０が図１に示す上昇位置から図３に示す下降位置へ移動した時に、カセット５０に内蔵されたリールに嵌合し、リールを回転駆動させることができる。
【００４１】
以下、動作について説明する。
【００４２】
まず、図１に示す状態は、使用者がカセットホルダー３にカセット５０を着脱可能な状態である。カセットホルダー３にカセット５０を装着させる際は、矢印Ａ方向からカセットホルダー３の開口部へカセット５０を挿入する。カセット５０が挿入された際、ストッパ１０が、カセット５０に配されている解除部材と当接し、カセット蓋５２ａ及び５２ｂのロック状態が解除される。これにより、カセット蓋５２ａ及び５２ｂが開閉可能な状態になる。
【００４３】
また、昇降装置が図１に示す状態にある時は、ストッパ９が、カセット５０との隙間が小さくかつカセット５０上面の前面寄りに位置している。よって、図４に示すように、カセット５０の前面側が矢印Ｂ方向へ浮き上がろうとしても、ストッパ９によって矢印Ｂ方向への移動が規制されているため、カセット５０が矢印Ｂ方向へ浮き上がるのを抑えている。
【００４４】
次に、図１に示す状態において、昇降装置が使用者によって矢印Ｃ方向に押圧されると、第２アーム５が支軸２４の軸周りに矢印Ｃ方向へ回動され、それに伴い、第１アーム４が支軸２３を中心に反時計回りに回動され、カセットホルダー３が矢印Ｃ方向へ移動される。この時、第２アーム５の他端に形成されているガイド溝１２に、支軸２２が摺動自在に係合されており、第２アーム５の回動に伴って支軸２２がガイド溝１２内を移動する。また、第１アーム４の他端に配されている支軸２５が、基盤２に形成されているガイド溝１３に摺動自在に係合されており、第１アーム４の回動に伴って支軸２５がガイド溝１３内を移動する。
【００４５】
図１の状態からカセット５０を保持した昇降装置が矢印Ｃ方向に下降すると、図２に示すように、左右の第１アーム４がカセットホルダ３に対し矢印Ｌ方向に回動されると共に、結合部材６は支軸２１の軸回りに矢印Ｌ方向に回動される。この時、結合部材６は、ストッパ９がカセット５０の基盤２への装着の妨げにならない位置に移動する。具体的には、ストッパ９がカセット蓋５２ａと接触しない位置に移動する。昇降装置が、図２に示す状態からさらに下降すると、図３に示す状態へ至る。
【００４６】
図３に示すように、カセットホルダー３が下降位置まで移動されると、ロックレバー７が基盤２に設けられたロック部材１１と係合されることにより、カセット５０が基盤２に装着される。この時、基盤２に配されているリール台３１（図５参照）が、カセット５０に内蔵されているリールに嵌合される。
【００４７】
また、図３に示すように、カセット５０が基盤２に装着された状態においては、ストッパ９とカセット５０との間の隙間が大きく確保され、両者が接触しない状態になっている。
【００４８】
図３に示す状態からカセット５０を取り出す際は、使用者が操作部を操作してイジェクト操作を行うと、ロックレバー７とロック部材１１との係合が解除され、昇降装置はバネなどの弾性部材（不図示）によって矢印Ｂ方向へ上昇される。
【００４９】
昇降装置が、図２に示す状態を介して図１に示す状態まで移行されると、使用者はカセット５０をカセットホルダー３から取り出すことができる。
【００５０】
次に、結合部材６の動作について詳しく説明する。
【００５１】
図５〜図７は、結合部材６の動作を説明するための模式図であり、便宜上、説明に不用な構成要素については図示を省略している。図５はカセット蓋５２ａ及び５２ｂが閉じた状態で、図１に示す状態に相当する。図６は開閉途中の状態で、図２に示す状態に相当する。図７はカセット蓋５２ａ及び５２ｂが開いた状態で、図３に示す状態に相当する。
【００５２】
まず、図５に示すように、カセット蓋５２ａ及び５２ｂが閉じた状態では、ストッパ９を備えた結合部材６は、カセット５０の上部における前面寄りに位置している。よって、このままの状態でカセット蓋５２ａが開蓋すれば、カセット蓋５２ａと結合部材６とは接触する。また、この状態では、結合部材６の下端面とカセット５０の上面との隙間が小さく、カセット５０の上方向への移動（浮き上がり）を最小限に抑えている。
【００５３】
図５に示す状態からカセット５０が下降動作を開始すると、カセット５２ａ及び５２ｂが支軸５３の軸周りに矢印Ｌ方向へ回動される。それとともに、結合部材６が矢印Ｌ方向へ回動される。図６は、結合部材６、カセット蓋５２ａ及び５２ｂの、回動途中の状態を示している。回動途中の状態においても、結合部材６とカセット蓋５２ａとは接触しない。
【００５４】
さらにカセット５０が下降動作を続け、図７に示す下降位置に到達すると、結合部材６は、カセット５０の上部の略中央位置に移動している。また、カセット蓋５２ａは、カセット５０の上部へ移動している。この時、結合部材６は、カセット５０に接触していない。また、カセット蓋５２ａは、結合部材６に接触していない。図７に示す状態において、カセット蓋５２ａ及び５２ｂは大きく開いているので、カセット５０内から磁気テープを引き出したり、磁気テープを収納したりすることができる。
【００５５】
また、図７に示す状態から、カセット５０を上昇させると、結合部材６は矢印Ｍ方向へ回動を始めるとともに、カセット蓋５２ａ及び５２ｂが矢印Ｍ方向へ回動を始める。そして図６に示す状態を介して、図５に示す状態へ至る。このように、カセット蓋５２ａ及び５２ｂを閉じる場合であっても、カセット蓋５２ａと結合部材６とが接触することはない。
【００５６】
以上のように実施の形態１によれば、カセット５０を基盤２に装着する際、結合部材６に設けられたストッパ９がカセット５０の基盤２への装着の妨げにならない位置に移動するため、ストッパ９をよりカセット５０のカセット蓋５２ａに近い位置に配置させることが可能となる。よって、図２に示すように、カセットホルダ３の点Ｍとストッパ９の点Ｎとのスパンを長くとることで、カセットホルダ３内でのカセット５０が上下に傾く量を抑えることができる。これにより、カセット５０が、カセットホルダ３に設けられた解除部材（カセット蓋５２ａ及び５２ｂのロックを解除する部材）を乗り越えることをなくすと共に、カセット５０や装置の破損を防ぐことができる。
【００５７】
また、カセット５０が基盤２に装着された状態で、ストッパ９とカセット５０との隙間が大きくなるため、カセットホルダ３のオーバーストローク量を増やすことができ、設計余裕度が上がる。それと共に、カセット５０を基盤２へ装着できなくなることを防ぐことができる。
【００５８】
また、カセット５０が基盤２に装着された状態におけるストッパ９の位置は、カセットホルダ３のカセット５０の底面を受ける面からストッパ９までの幅の最小値が、カセット５０の規格から決まるカセット５０の高さの上限値と等しくなるように設定することにより、理想的な寸法関係となり、本発明の効果を最大限に発揮することができる。
【００５９】
また、左右の第１アーム４と結合部材６とを別部材で構成しているが、一体構成してもよい。これにより、部品点数を削減することができる。
【００６０】
また、ストッパ９は、結合部材６に設けられているが、第１アーム４に設けてもよい。
【００６１】
また、本実施の形態では、昇降装置の下降動作は使用者による押圧操作により行われ、昇降装置の上昇動作はスプリング８による付勢によって行われる構成としたが、上昇動作及び下降動作のうちいずれか一方を、モータなどで電動駆動する構成としてもよい。また、昇降動作全てをモータなどで電動駆動する構成としてもよい。
【産業上の利用可能性】
【００６２】
本発明にかかるカセット装着装置は、カセットホルダ内でのカセットが上下に傾く量を抑えると共にカセットホルダのオーバーストローク量を増やすことが可能になるので、ビデオテープレコーダーなどの磁気記録再生装置にカセットを装着するカセット装着装置等として有用である。
【図面の簡単な説明】
【００６３】
【図１】実施の形態１における、カセット着脱可能な状態での磁気記録再生装置の右側面図
【図２】実施の形態１における、昇降装置が動作中の磁気記録再生装置の右側面図
【図３】実施の形態１における、カセットが基盤に装着された状態での磁気記録再生装置の右側面図
【図４】実施の形態１における、カセットホルダ内のカセットの傾きを示した右側面図
【図５】カセット蓋の開閉および結合部材の移動動作を説明するための模式図
【図６】カセット蓋の開閉および結合部材の移動動作を説明するための模式図
【図７】カセット蓋の開閉および結合部材の移動動作を説明するための模式図
【図８】図１におけるＺ方向から見た正面図
【図９】従来の磁気記録再生装置においてカセット着脱可能な状態を示す右側面図
【図１０】従来の磁気記録再生装置において昇降装置が動作中の状態を示す右側面図
【図１１】従来の磁気記録再生装置においてカセットが基盤に装着された状態を示す右側面図
【図１２】図９におけるＺ方向から見た正面図
【図１３Ａ】従来の課題を説明するための模式図
【図１３Ｂ】従来の課題を説明するための模式図
【図１４Ａ】従来の課題を説明するための模式図
【図１４Ｂ】従来の課題を説明するための模式図
【符号の説明】
【００６４】
１  カセット
２  基盤
３  カセットホルダ
４  第１アーム
５  第２アーム
６  結合部材
１０  ストッパ
５０  カセット
５２ａ、５２ｂ  カセット蓋
【図１】
2008112539.tif 000003
【図２】
2008112539.tif 000004
【図３】
2008112539.tif 000005
【図４】
2008112539.tif 000006
【図５】
2008112539.tif 000007
【図６】
2008112539.tif 000008
【図７】
2008112539.tif 000009
【図８】
2008112539.tif 000010
【図９】
2008112539.tif 000011
【図１０】
2008112539.tif 000012
【図１１】
2008112539.tif 000013
【図１２】
2008112539.tif 000014
【図１３Ａ】
2008112539.tif 000015
【図１３Ｂ】
2008112539.tif 000016
【図１４Ａ】
2008112539.tif 000017
【図１４Ｂ】
2008112539.tif 000018